【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
酸化鉄及び／又は金属鉄含有物質（Ａ）（但し、酸化鉄及び／又は金属鉄のみからなる物質の場合を含む）と、有機酸（Ｂ）として、グルコン酸又はグルタミン酸を含有し、
酸化鉄及び／又は金属鉄含有物質（Ａ）の少なくとも一部が鉄鋼スラグであることを特徴とする鉄イオン供給材料。
【請求項２】
酸化鉄及び／又は金属鉄含有物質（Ａ）の少なくとも一部が製鋼スラグであることを特徴とする請求項１に記載の鉄イオン供給材料。
【請求項３】
有機酸（Ｂ）源が、有機酸粉末、有機酸塩、有機酸含有物質の中から選ばれる１種以上であることを特徴とする請求項１又は２に記載の鉄イオン供給材料。
【請求項４】
酸化鉄及び／又は金属鉄含有物質（Ａ）由来の鉄分と有機酸（Ｂ）が結合して生成した有機酸鉄を含有することを特徴とする請求項１〜３のいずれかに記載の鉄イオン供給材料。
【請求項５】
酸化鉄及び／又は金属鉄含有物質（Ａ）と有機酸（Ｂ）を含有する粉粒状の混合原料を成形して得られた成形物又はその破砕体であることを特徴とする請求項１〜４のいずれかに記載の鉄イオン供給材料。
【請求項６】
成形物が、粉粒状の混合原料を圧密成形して得られたブリケットであることを特徴とする請求項５に記載の鉄イオン供給材料。
【請求項７】
成形物が、結合材を含む粉粒状の混合原料を水和硬化させた水和固化体であることを特徴とする請求項５に記載の鉄イオン供給材料。
【請求項８】
水和固化体が、粉粒状の製鋼スラグを主体とする酸化鉄及び／又は金属鉄含有物質（Ａ）を含有するとともに、主たる結合材として高炉スラグ微粉末が添加された混合原料を水和硬化させた水和固化体であることを特徴とする請求項７に記載の鉄イオン供給材料。
【請求項９】
成形物が、粉粒状の混合原料を炭酸固化させた炭酸固化体であることを特徴とする請求項５に記載の鉄イオン供給材料。
【請求項１０】
酸化鉄及び／又は金属鉄含有物質（Ａ）と有機酸（Ｂ）を含有する粉粒状の混合原料を造粒して得られた造粒物であることを特徴とする請求項１〜４のいずれかに記載の鉄イオン供給材料。
【請求項１１】
成形物又は造粒物に含まれる有機酸（Ｂ）の少なくとも一部が、グルコン酸粉末、グルコン酸塩の中から選ばれる１種以上であることを特徴とする請求項５〜１０のいずれかに記載の鉄イオン供給材料。
【請求項１２】
グルコン酸又はグルタミン酸と鉄分が結合して生成した有機酸鉄を含有する溶媒からなる鉄イオン供給材料であって、
溶媒中の有機酸鉄が、下記（a）及び／又は（b）であることを特徴とする鉄イオン供給材料。
（a）請求項１〜１１のいずれかに記載の鉄イオン供給材料から溶媒中に抽出された有機酸鉄
（b）溶媒中に、酸化鉄及び／又は金属鉄含有物質（但し、酸化鉄及び／又は金属鉄のみからなる物質の場合を含む）と、グルコン酸又はグルタミン酸を投入し、酸化鉄及び／又は金属鉄含有物質から溶出した鉄分と前記有機酸を結合させて生成させた有機酸鉄。但し、前記酸化鉄及び／又は金属鉄含有物質の少なくとも一部が鉄鋼スラグである。
【請求項１３】
酸化鉄及び／又は金属鉄含有物質（但し、酸化鉄及び／又は金属鉄のみからなる物質の場合を含む）と、グルコン酸又はグルタミン酸を含み、前記酸化鉄及び／又は金属鉄含有物質の少なくとも一部が鉄鋼スラグである粉粒状の混合原料を成形して成形物とすることを特徴とする鉄イオン供給材料の製造方法。
【請求項１４】
粉粒状の混合原料を圧密成形し、該原料に含まれる粒鉄を主たるバインダ成分として固化させ、ブリケットとすることを特徴とする請求項１３に記載の鉄イオン供給材料の製造方法。
【請求項１５】
粉粒状の混合原料を、該原料に含まれる結合材の水和反応により水和硬化させ、水和固化体とすることを特徴とする請求項１３に記載の鉄イオン供給材料の製造方法。
【請求項１６】
粉粒状の混合原料を、該原料に含まれる未炭酸化Ｃａの炭酸化反応により固化させ、炭酸固化体とすることを特徴とする請求項１３に記載の鉄イオン供給材料の製造方法。
【請求項１７】
酸化鉄及び／又は金属鉄含有物質（但し、酸化鉄及び／又は金属鉄のみからなる物質の場合を含む）と、グルコン酸又はグルタミン酸を含み、前記酸化鉄及び／又は金属鉄含有物質の少なくとも一部が鉄鋼スラグである粉粒状の混合原料を造粒して造粒物とすることを特徴とする鉄イオン供給材料の製造方法。
【請求項１８】
請求項１〜１２のいずれかに記載の鉄イオン供給材料を、水中に散布又は設置若しくは水底に埋設することを特徴とする鉄イオン供給方法。
【請求項１９】
請求項１〜１２のいずれかに記載の鉄イオン供給材料を、土壌に散布することを特徴とする鉄イオン供給方法。
【手続補正２】
【補正対象書類名】明細書
【補正対象項目名】０００９
【補正方法】変更
【補正の内容】
【０００９】
本発明はこのような知見に基づきなされたもので、以下を要旨とするものである。
［1］酸化鉄及び／又は金属鉄含有物質（Ａ）（但し、酸化鉄及び／又は金属鉄のみからなる物質の場合を含む）と、有機酸（Ｂ）として、グルコン酸又はグルタミン酸を含有し、
酸化鉄及び／又は金属鉄含有物質（Ａ）の少なくとも一部が鉄鋼スラグであることを特徴とする鉄イオン供給材料。
【手続補正３】
【補正対象書類名】明細書
【補正対象項目名】００１０
【補正方法】変更
【補正の内容】
【００１０】
［2］上記［1］の鉄イオン供給材料において、酸化鉄及び／又は金属鉄含有物質（Ａ）の少なくとも一部が製鋼スラグであることを特徴とする鉄イオン供給材料。
［3］上記［1］又は［2］の鉄イオン供給材料において、有機酸（Ｂ）源が、有機酸粉末、有機酸塩、有機酸含有物質の中から選ばれる１種以上であることを特徴とする鉄イオン供給材料。
【手続補正４】
【補正対象書類名】明細書
【補正対象項目名】００１１
【補正方法】変更
【補正の内容】
【００１１】
［4］上記［1］〜［3］のいずれかの鉄イオン供給材料において、酸化鉄及び／又は金属鉄含有物質（Ａ）由来の鉄分と有機酸（Ｂ）が結合して生成した有機酸鉄を含有することを特徴とする鉄イオン供給材料。
［5］上記［1］〜［4］のいずれかの鉄イオン供給材料において、酸化鉄及び／又は金属鉄含有物質（Ａ）と有機酸（Ｂ）を含有する粉粒状の混合原料を成形して得られた成形物又はその破砕体であることを特徴とする鉄イオン供給材料。
［6］上記［5］の鉄イオン供給材料において、成形物が、粉粒状の混合原料を圧密成形して得られたブリケットであることを特徴とする鉄イオン供給材料。
［7］上記［5］の鉄イオン供給材料において、成形物が、結合材を含む粉粒状の混合原料を水和硬化させた水和固化体であることを特徴とする鉄イオン供給材料。
【手続補正５】
【補正対象書類名】明細書
【補正対象項目名】００１２
【補正方法】変更
【補正の内容】
【００１２】
［8］上記［7］の鉄イオン供給材料において、水和固化体が、粉粒状の製鋼スラグを主体とする酸化鉄及び／又は金属鉄含有物質（Ａ）を含有するとともに、主たる結合材として高炉スラグ微粉末が添加された混合原料を水和硬化させた水和固化体であることを特徴とする鉄イオン供給材料。
［9］上記［5］の鉄イオン供給材料において、成形物が、粉粒状の混合原料を炭酸固化させた炭酸固化体であることを特徴とする鉄イオン供給材料。
［10］上記［1］〜［4］のいずれかの鉄イオン供給材料において、酸化鉄及び／又は金属鉄含有物質（Ａ）と有機酸（Ｂ）を含有する粉粒状の混合原料を造粒して得られた造粒物であることを特徴とする鉄イオン供給材料。
［11］上記［5］〜［10］のいずれかの鉄イオン供給材料において、成形物又は造粒物に含まれる有機酸（Ｂ）の少なくとも一部が、グルコン酸粉末、グルコン酸塩の中から選ばれる１種以上であることを特徴とする鉄イオン供給材料。
【手続補正６】
【補正対象書類名】明細書
【補正対象項目名】００１３
【補正方法】変更
【補正の内容】
【００１３】
［12］グルコン酸又はグルタミン酸と鉄分が結合して生成した有機酸鉄を含有する溶媒からなる鉄イオン供給材料であって、
溶媒中の有機酸鉄が、下記（a）及び／又は（b）であることを特徴とする鉄イオン供給材料。
（a）上記［1］〜［11］のいずれかに記載の鉄イオン供給材料から溶媒中に抽出された有機酸鉄
（b）溶媒中に、酸化鉄及び／又は金属鉄含有物質（但し、酸化鉄及び／又は金属鉄のみからなる物質の場合を含む）と、グルコン酸又はグルタミン酸を投入し、酸化鉄及び／又は金属鉄含有物質から溶出した鉄分と前記有機酸を結合させて生成させた有機酸鉄。但し、前記酸化鉄及び／又は金属鉄含有物質の少なくとも一部が鉄鋼スラグである。
【手続補正７】
【補正対象書類名】明細書
【補正対象項目名】００１４
【補正方法】変更
【補正の内容】
【００１４】
［13］酸化鉄及び／又は金属鉄含有物質（但し、酸化鉄及び／又は金属鉄のみからなる物質の場合を含む）と、グルコン酸又はグルタミン酸を含み、前記酸化鉄及び／又は金属鉄含有物質の少なくとも一部が鉄鋼スラグである粉粒状の混合原料を成形して成形物とすることを特徴とする鉄イオン供給材料の製造方法。
［14］上記［13］の製造方法において、粉粒状の混合原料を圧密成形し、該原料に含まれる粒鉄を主たるバインダ成分として固化させ、ブリケットとすることを特徴とする鉄イオン供給材料の製造方法。
［15］上記［13］の製造方法において、粉粒状の混合原料を、該原料に含まれる結合材の水和反応により水和硬化させ、水和固化体とすることを特徴とする鉄イオン供給材料の製造方法。
【手続補正８】
【補正対象書類名】明細書
【補正対象項目名】００１５
【補正方法】変更
【補正の内容】
【００１５】
［16］上記［13］の製造方法において、粉粒状の混合原料を、該原料に含まれる未炭酸化Ｃａの炭酸化反応により固化させ、炭酸固化体とすることを特徴とする鉄イオン供給材料の製造方法。
［17］酸化鉄及び／又は金属鉄含有物質（但し、酸化鉄及び／又は金属鉄のみからなる物質の場合を含む）と、グルコン酸又はグルタミン酸を含み、前記酸化鉄及び／又は金属鉄含有物質の少なくとも一部が鉄鋼スラグである粉粒状の混合原料を造粒して造粒物とすることを特徴とする鉄イオン供給材料の製造方法。
［18］上記［1］〜［12］のいずれかの鉄イオン供給材料を、水中に散布又は設置若しくは水底に埋設することを特徴とする鉄イオン供給方法。
［19］上記［1］〜［12］のいずれかの鉄イオン供給材料を、土壌に散布することを特徴とする鉄イオン供給方法。